(57)【要約】【課題】かご室壁の締結作業時におけるナットの回転を削減することができるエレベータのかご室壁を提供する。【解決手段】かご室壁パネル２の取付面３に設けられた丸穴８ａと、取付面３に設けられ、丸穴８ａの内径よりも短い幅を有する角穴８ｂと、丸穴８ａと角穴８ｂとを連結し、角穴８ｂの幅以下の幅を有する連結部８ｃとを備えたことにより、予めナットがねじ込まれた角根ボルト５からなる締結具４を利用して、隣接するかご室壁パネル２同士を締結する。【選択図】図２
2009263096.tif 000002
【特許請求の範囲】
【請求項１】
かご室壁パネルの取付面に設けられた丸穴と、
前記取付面に設けられ、前記丸穴の内径よりも短い幅を有する角穴と、
前記丸穴と前記角穴とを連結し、前記角穴の幅以下の幅を有する連結部と、
を備えたことを特徴とするエレベータのかご室壁。
【請求項２】
前記連結部は、前記角穴の幅よりも短い幅を有することを特徴とする請求項１記載のエレベータのかご室壁。
【請求項３】
前記丸穴の内径よりも小さい外径の頭部と前記連結部の幅よりも細いボルト部とを有し、前記角穴に角根部が嵌め込まれた状態で、前記頭部が、前記取付面の表裏面の一方側に配置された角根ボルトと、
前記取付面の表裏面の他方側から、前記ボルト部にねじ込まれたナットと、
を備えたことを特徴とする請求項１又は請求項２に記載のエレベータのかご室壁。
【請求項４】
前記取付面は、前記かご室壁パネルの昇降路壁側に設けられたことを特徴とする請求項１〜請求項３のいずれかに記載のエレベータのかご室壁。
【請求項５】
前記角穴は、前記丸穴よりも下方に設けられたことを特徴とする請求項１〜請求項４に記載のエレベータのかご室壁。
【請求項６】
前記ナットは、
前記頭部側に設けられ、前記ボルト部の外径よりも大きい内径を有し、前記ボルト部が挿通された円筒状の貫通穴と、
前記頭部の反対側で前記貫通穴と連結し、前記ボルト部の先端がねじ込まれたネジ部と、
を備えたことを特徴とする請求項３〜請求項５のいずれかに記載のエレベータのかご室壁。
【発明の詳細な説明】
【技術分野】
【０００１】
この発明は、隣接するかご室壁パネル同士を締結するエレベータのかご室壁に関するものである。
【背景技術】
【０００２】
エレベータのかご室壁として、角根ボルト、バネ座金、高ナットを使用したかご室壁パネルの締結方法が提案されている。かかるかご室壁において、かご室壁パネルの取付面には、角根ボルトの角根部と略同サイズの四角形穴が設けられる。このため、角根ボルト、バネ座金、高ナットを用いた締結作業においては、まず、角根ボルトが、一方のかご室壁パネル取付面の裏面側から四角形穴に挿入される。次に、バネ座金と高ナットが、一方のかご室壁パネル取付面の表面側から挿入される。そして、高ナットが、スパナ等の締結工具により回転される（例えば、特許文献１参照）。
【０００３】
【特許文献１】実開昭５５−７４７８２号公報
【発明の開示】
【発明が解決しようとする課題】
【０００４】
しかし、特許文献１記載のものは、取付面同士を挟み込むために、高ナットを角根ボルトのボルト部先端から角根部近傍までねじ込む必要がある。このため、かご室壁パネル裏面側の昇降路スペースが狭い場合は、作業性が悪く、締結作業に時間がかかっていた。また、かご室壁パネルが薄い場合は、スペースの都合でラチェット式スパナを使用できない。即ち、通常のスパナ等の締結工具で、高ナットをねじ込まざるを得ない。この場合、締結工具が、かご室壁パネルと干渉する。このため、締結工具の回転量を大きくすることができず、作業性をさらに悪化させていた。
【０００５】
この発明は、上述のような課題を解決するためになされたもので、その目的は、かご室壁の締結作業時におけるナットの回転数を削減することができるエレベータのかご室壁を提供することである。
【課題を解決するための手段】
【０００６】
この発明に係るエレベータのかご室壁は、かご室壁パネルの取付面に設けられた丸穴と、前記取付面に設けられ、前記丸穴の内径よりも短い幅を有する角穴と、前記丸穴と前記角穴とを連結し、前記角穴の幅以下の幅を有する連結部とを備えたものである。
【発明の効果】
【０００７】
この発明によれば、かご室壁の締結作業時におけるナットの回転数を削減することができる。
【発明を実施するための最良の形態】
【０００８】
この発明を実施するための最良の形態について添付の図面に従って説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご室壁が利用されるかご室全体を示す横断面図である。
【００１０】
図１において、１はかご室である。かご室１の縁部には、複数のかご室壁パネル２が立設される。これらのかご室壁パネル２側縁部には、取付面３が設けられる。これらの取付面３は、かご室壁パネル２の昇降路壁（図示せず）側に設けられる。そして、この取付面３を用いて、隣接するかご室壁パネル２同士が締結される。
【００１１】
次に、図２及び図４を用いて、かご室壁パネル２の締結方法を詳細に説明する。
図２はこの発明の実施の形態１におけるエレベータのかご室壁の締結方法を説明するための図であって、締結具による締結前のかご室壁を示す図である。より具体的には、図２（ａ）は図１のＡ部拡大図である。図２（ｂ）は図２（ａ）に対応する正面図である。
【００１２】
図３はこの発明の実施の形態１におけるエレベータのかご室壁の締結方法を説明するための図であって、締結具による締結中のかご室壁を示す図である。より具体的には、図３（ａ）、（ｂ）は、それぞれ図２（ａ）、（ｂ）に対応する図である。図４はこの発明の実施の形態１におけるエレベータのかご室壁の締結方法を説明するための図であって、締結具による締結後のかご室壁を示す図である。より具体的には、図４（ａ）、（ｂ）は、それぞれ図２（ａ）、（ｂ）に対応する図である。
【００１３】
図２（ａ）に示すように、かご室壁パネル２側縁部は、横断面略Ｊ字状に形成される。このＪ字状の中間連結部に、取付面３が形成される。締結作業前において、取付面３の一方側には、締結具４が配置される。この締結具４は、角根ボルト５、バネ座金６、高ナット７からなる。
【００１４】
角根ボルト５の一端には、頭部５ａが設けられる。この頭部５ａ首下には、角根部５ｂが設けられる。この角根部５ｂは、矩形外周面を有する。この角根部５ｂよりも角根ボルト５の他端側には、ボルト部５ｃが設けられる。このボルト部５ｃに、バネ座金６が貫通される。このバネ座金６よりも、角根ボルト５の他端側のボルト部５ｃには、高ナット７がねじ込まれる。かかる構成の締結具４は、角根ボルト５の角根部５ｂを露出させる。より具体的には、締結具４は、角根ボルト５座面とバネ座金６の距離が、Ｘとなるように仮組みされる。この距離Ｘは、両取付面３の合計厚Ｙよりも僅かに広く設定される。
【００１５】
一方、取付面３には、図２（ｂ）に示すように、締結部８が設けられる。この締結部８は、鍵穴形状をなす。より具体的には、締結部８は、丸穴８ａ、角穴８ｂ、連結部８ｃからなる。角穴８ｂは、四角穴からなる。この角穴８ｂは、丸穴８ａの内径よりも短い幅を有する。連結部８ｃは、丸穴８ａと角穴８ｂとを連結するスリット部からなる。この、連結部８ｃは、角穴８ｂの幅よりも短い幅を有する。かかる構成の締結部８は、取付面３の鉛直方向に複数並んで設けられる。
【００１６】
なお、角根ボルト５の頭部５ａの外径は、丸穴８ａ内径よりも僅かに小さい。また、角根ボルト５のボルト部５ｃは、連結部８ｃの幅よりも僅かに小さい。さらに、角根ボルト５の角根部５ｂの幅及び高さは、角穴８ｂの幅及び高さよりも僅かに小さい。
【００１７】
そして、かかる締結部８と締結具４を用いて、隣接するかご室壁パネル２の取付面３同士が締結される。より具体的には、図２に示すように、隣接するかご室壁パネル２の取付面３同士が対向して配置される。このとき、両取付面３の丸穴８ａ、角穴８ｂ、連結部８ｃは、両取付面３との直交方向に重ねられる。そして、丸穴８ａに、取付面の一方側から他方側へ、角根ボルト５の頭部５ａ及び角根部５ｂが貫通される。
【００１８】
その後、図３に示すように、角根ボルト５のボルト部５ｃが連結部８ｃに案内される。これにより、締結具４が下方へ移動される。その後、締結具４が取付面３の他方側から一方側に移動される。これにより、角根ボルト５の角根部５ｂが、取付面３の他方側から、角穴８ｂに嵌め込まれる。
【００１９】
その後、図４に示すように、高ナット７が、取付面３の一方側で、スパナ等の締結工具により回転される。このとき、角根ボルト５の角根部５ｂが、角穴８ｂの４面９ａ〜９ｄに当接する。かかる当接により、角根ボルト５が回転しない状態となり、高ナット７がねじ込まれ、角根ボルト５の頭部５ａと高ナット７との間に、両取付面３が挟み込まれる。また、他の締結部８においても、同様の動作により、両取付面３が挟み込まれる。これにより、両取付面３の締結が完了する。そして、他のかご室壁パネル２同士も、同様に、締結される。これにより、かご室１全体のかご室壁パネル２同士の締結が完了する。
【００２０】
以上で説明した実施の形態１によれば、かご室壁パネル２同士を締結する際に、締結部８と予め高ナット７がねじ込まれた角根ボルト５からなる締結具４とを用いて、隣接するかご室壁パネル２の取付面３同士を締結することができる。このため、締結工具での高ナット７の回転数を僅かにすることができる。即ち、かご室壁パネル２の作業性を向上することができる。
【００２１】
また、取付面３は、かご室壁パネル２の昇降路壁側に設けられる。このため、かご内側のかご室壁パネル２の面を平滑化しつつ、かご室壁パネル２と昇降路壁の間の狭い空間でも、容易に締結作業を行うことができる。
【００２２】
さらに、角穴８ｂは、丸穴８ａよりも下方に設けられる。このため、締結具４の自重を利用し、締結具４を丸穴８ａ側から角穴８ｂ側へ移動できる。このため、作業性をより向上することができる。
【００２３】
加えて、角根ボルト５の角根部５ｂが、角穴８ｂの４面９ａ〜９ｄに当接し、角根ボルト５が回転しない状態となり、高ナット７がねじ込まれる。このため、角根ボルト５を確実に回り止めした状態で、高ナット７を締結することができる。
【００２４】
なお、実施の形態１では、角根ボルト５の頭部５ａが、取付面３の他方の裏面側に配置され、高ナット７が、取付面３の一方側、即ち、取付面３の他方の表面側からねじ込まれる場合を説明した。しかし、角根ボルト５の頭部５ａと高いナット７の配置関係を逆にしても、同様の効果が得られる。
【００２５】
さらに、かかる構成のエレベータのかご室壁においては、締結作業時だけでなく、分解作業時でも、作業性が向上することは言うまでもない。
【００２６】
実施の形態２．
図５はこの発明の実施の形態２におけるエレベータのかご室壁の正面図である。なお、実施の形態１と同一又は相当部分には同一符号を付して説明を省略する。
【００２７】
実施の形態１においては、連結部８ｃは、角穴８ｂの幅よりも短い幅とした。一方、実施の形態２においては、連結部８ｃは、角穴８ｂと同等の幅で、丸穴８ａと連結している。この場合、角根ボルト５の角根部５ｂが、角穴８ｂの３面９ａ〜９ｃに当接し、角根ボルト５が回転しない状態となり、高ナット７がねじ込まれる。
【００２８】
以上で説明した実施の形態２によれば、実施の形態１に比べ、角根ボルト５の角根部５ｂが、容易に角穴８ｂに嵌め込まれる。
【００２９】
実施の形態３．
図６はこの発明の実施の形態１及び２におけるエレベータのかご室壁に利用されていた締結具を説明するための図である。図７はこの発明の実施の形態３におけるエレベータのかご室壁に利用される締結具を説明するための図である。なお、実施の形態１と同一又は相当部分には同一符号を付して説明を省略する。
【００３０】
本発明においては、角根ボルト５、バネ座金６、高ナット７は、予め組み立てておく必要がある。ここで、図６のように、かご室壁パネル２側縁部は、横断面略Ｊ字状に形成される。そして、かご室壁パネル２側縁部の端部２ａは、取付面３からｈの高さに形成される。高ナット７は取付面３に当接して、スパナ等の締結工具によって締め付けられる。このため、高ナット７の高さは、かご室壁パネル２側縁部の端部２ａの高さｈよりも大きくする必要がある。この場合、一般的な高ナット７では、図６に示すように、根元に不完全ネジ部を有し、先端に向かって完全ネジ部を有する。例えば、高ナット７の高さを２０ｍｍ程度とした場合、根元に１ｍｍ程度の不完全ネジ部を除いた１９ｍｍ程度の完全ネジ部が存在する。
【００３１】
一方、実施の形態３の高ナット７おいては、図７に示すように、ボルト部５ｃの外径よりも大きい内径を有し、高さが１５ｍｍ程度の円筒状の貫通穴１０が、角根ボルト５の頭部５ａ側に設けられている。この貫通穴１０には、ボルト部５ｃが挿通される。そして、角根ボルト５の頭部５ａの反対側では、完全ネジ部１１が、貫通穴１０と連結される。この完全ネジ部１１は、標準ナットと同等高さの５ｍｍ程度残され、ボルト部５ｃの先端がねじ込まれる
【００３２】
以上で説明した実施の形態３によれば、角根ボルト５、バネ座金６、高ナット７の組立時に、何回も高ナット７を回転させる必要がない。即ち、締結具４の組立作業性を向上することができる。
【図面の簡単な説明】
【００３３】
【図１】この発明の実施の形態１におけるエレベータのかご室壁が利用されるかご室全体を示す横断面図である。
【図２】この発明の実施の形態１におけるエレベータのかご室壁の締結方法を説明するための図であって、締結具による締結前のかご室壁を示す図である。
【図３】この発明の実施の形態１におけるエレベータのかご室壁の締結方法を説明するための図であって、締結具による締結中のかご室壁を示す図である。
【図４】この発明の実施の形態１におけるエレベータのかご室壁の締結方法を説明するための図であって、締結具による締結後のかご室壁を示す図である。
【図５】この発明の実施の形態２におけるエレベータのかご室壁の正面図である。
【図６】この発明の実施の形態１及び２におけるエレベータのかご室壁に利用されていた締結具を説明するための図である。
【図７】この発明の実施の形態３におけるエレベータのかご室壁に利用される締結具を説明するための図である。
【符号の説明】
【００３４】
１  かご室、  ２  かご室壁パネル、  ２ａ  端部、  ３  取付面、  ４  締結具、
５  角根ボルト、  ５ａ  頭部、  ５ｂ  角根部、  ５ｃ  ボルト部、６  バネ座金、
７  高ナット、  ８  締結部、  ８ａ  丸穴、  ８ｂ  角穴、  ８ｃ  連結部、
９ａ〜９ｄ  面、  １０  貫通穴、  １１  完全ネジ部
【図１】
2009263096.tif 000003
【図２】
2009263096.tif 000004
【図３】
2009263096.tif 000005
【図４】
2009263096.tif 000006
【図５】
2009263096.tif 000007
【図６】
2009263096.tif 000008
【図７】
2009263096.tif 000009